(57)【要約】      （修正有）【課題】組立作業の煩雑化を招来することなく、作業効率の向上を図ることができる商品収納ラックを提供すること。【解決手段】左右に対向した一対の側板の間に画成され、商品を横向きの姿勢で順次収納する商品収納通路と、一の側板にリンク機構を介して進退移動可能に配設され、商品収納通路の左右幅を調整する可動側板３０と、リンク機構を構成し、かつ係合部材５０を介して可動側板３０に係合する連結板４２とを備えた商品収納ラックにおいて、係合部材５０は、連結板４２に固着した本体部５１と、先端に曲状部５３ａ，５３ｂを有する係止片５２ａ，５２ｂとを備え、可動側板３０に形成した長孔３３ａ，３３ｂに対して撓ませた状態で挿通させた係止片５２ａ，５２ｂが復元力により元の状態に復元することにより、曲状部５３ａ，５３ｂを抜け止めとして該可動側板３０に連結板４２をスライド移動可能に係合させたものである。【選択図】図１２
2006164052.tif 000002
【特許請求の範囲】
【請求項１】
左右に対向した一対の側板間に上下方向に延在する態様で画成され、投入された商品を横向きの姿勢で順次収納するための商品収納通路と、
一の側板にリンク機構を介して進退移動可能に配設され、商品の大きさに応じて前記商品収納通路の左右幅を調整するための可動側板と、
前記リンク機構を構成し、かつ係合手段を介して前記可動側板に係合する連結板と
を備えた商品収納ラックにおいて、
前記係合手段は、
前記連結板に固着した本体部と、
前記本体部から前記可動側板に向けて突設され、先端に曲状部を有する係止片と
を備えて成り、
前記可動側板に形成した長孔に対して撓ませた状態で挿通させた前記係止片が復元力により元の状態に復元することにより、前記曲状部を抜け止めとして該可動側板に前記連結板をスライド移動可能に係合させたことを特徴とする商品収納ラック。
【発明の詳細な説明】
【技術分野】
【０００１】
本発明は、商品収納ラックに関し、より詳細には、例えば缶入り飲料、瓶入り飲料およびペットボトル入り飲料等の商品を販売する自動販売機に適用される商品収納ラックの改良に関する。
【背景技術】
【０００２】
従来、例えば缶入り飲料、瓶入り飲料およびペットボトル入り飲料等の商品を販売する自動販売機の商品収納ラックとして、サーペンタイン式商品収納ラックが知られている。サーペンタイン式商品収納ラックは、左右に対向して立設された一対の側板の間に複数の円弧状のセグメントが架設されることにより、上下方向に沿って蛇行した態様で画成された商品収納通路を有している。また、サーペンタイン式商品収納ラックには、商品収納通路の上方側に商品投入用のトップトレイが設けられている一方、商品収納通路の下方側に最下位にある商品を切り出して搬出するためのベンド機構が設けられている。
【０００３】
そのような構成を有する商品収納ラックにおいては、商品を補充する場合、前方からトップトレイに商品を横向きの姿勢（倒置姿勢）で投入することになる。これにより、商品は、トップトレイの傾斜にしたがって漸次後方に転動し、該トップトレイの後端からセグメントに沿って蛇行状の商品収納通路を転動しながら落下してベンド機構の上に一列に積み上げ収納される。そして、商品を販売する場合、ベンド機構が販売指令に基づいて駆動して最下位の商品を下方に落下させる。これにより、商品は、自動販売機の商品取出口まで送出される。
【０００４】
また、上記商品収納ラックには、商品収納通路の左右幅（横幅）を商品の長さに応じて調整するための可動側板が設けられている。可動側板は、商品収納通路の形状に合わせて板金加工した薄鋼板製のものであり、一対の側板の一方側である一の側板に表面が商品収納通路を臨む態様でリンク機構を介して配設されている。リンク機構は、リンクと連結板とを備えて構成されている。リンクは、上下一対に設けられており、基端側が一の側板にヒンジ結合されて揺動可能に構成されている。連結板は、長尺平板状のものであり、可動側板の表面側に形成されたチャンネル部に嵌挿された状態で設けられている。そして、連結板の上端部および下端部に形成された軸受部と、各リンクの先端部とをそれぞれ係合させることにより可動側板を商品収納通路に対して進退移動可能にしている。
【０００５】
一方、連結板は、可動側板の撓みを防止するための補強梁としての機能も有している。そこで、かかる機能を発揮するため、連結板の長手方向の中間部位を可動側板の所定部位にそれぞれに形成した貫通孔に割ピンを挿通させてスライド移動可能に係合、あるいは連結板の長手方向の中間部位に形成した係合フランジを可動側板の所定部位に形成したスリットに挿通させた態様でスライド移動可能に係合している（例えば、特許文献１および特許文献２）。
【０００６】
【特許文献１】特開２００３−２５６９２４号公報
【特許文献２】特開２００３−２２３６７６号公報
【発明の開示】
【発明が解決しようとする課題】
【０００７】
ところで、従来の商品収納ラックでは、連結板を可動側板に割ピンを用いて係合する場合、連結板の中間部位および可動側板の所定部位のそれぞれに形成した貫通孔を挿通させた割ピンの先端を抜け防止のために手作業等で屈曲する必要があった。また、連結板に形成した係合フランジを可動側板に形成したスリットに挿通させて係合する場合には、スリットを挿通させた係合フランジを抜け防止のために手作業等で屈曲する必要があり、結果として、組立作業の煩雑化を招来していた。特に、自動販売機のように複数の商品収納通路を設ける場合には、各商品収納通路において連結板の抜け防止のための作業が必要になり、組立作業の煩雑化が特に顕著で、作業効率の低下を招く虞れがあった。
【０００８】
本発明は、上記実情に鑑みて、組立作業の煩雑化を招来することなく、作業効率の向上を図ることができる商品収納ラックを提供することを目的とする。
【課題を解決するための手段】
【０００９】
上記目的を達成するために、本発明の請求項１に係る商品収納ラックは、左右に対向した一対の側板間に上下方向に延在する態様で画成され、投入された商品を横向きの姿勢で順次収納するための商品収納通路と、一の側板にリンク機構を介して進退移動可能に配設され、商品の大きさに応じて前記商品収納通路の左右幅を調整するための可動側板と、前記リンク機構を構成し、かつ係合手段を介して前記可動側板に係合する連結板とを備えた商品収納ラックにおいて、前記係合手段は、前記連結板に固着した本体部と、前記本体部から前記可動側板に向けて突設され、先端に曲状部を有する係止片とを備えて成り、前記可動側板に形成した長孔に対して撓ませた状態で挿通させた前記係止片が復元力により元の状態に復元することにより、前記曲状部を抜け止めとして該可動側板に前記連結板をスライド移動可能に係合させたことを特徴とする。
【発明の効果】
【００１０】
本発明の商品収納ラックによれば、係合手段は、可動側板に形成した長孔に対して撓ませた状態で挿通させた係止片が復元力により元の状態に復元することにより、曲状部を抜け止めとして該可動側板に連結板をスライド移動可能に係合させるので、従来のような曲げ作業等が不要になり、組立作業の煩雑化を招来せずに作業効率の向上を図ることができるという効果を奏する。
【発明を実施するための最良の形態】
【００１１】
以下に添付図面を参照して、本発明に係る商品収納ラックの好適な実施の形態について詳細に説明する。
【００１２】
図１〜図３は、それぞれ本発明の実施の形態における商品収納ラックが適用された自動販売機の構成を示したものである。この自動販売機は、缶入り飲料やペットボトル入り飲料等の商品を販売するためのもので、本体キャビネット１を備えている。
【００１３】
本体キャビネット１は、前面が開口した直方状の断熱筐体として形成されたものである。この本体キャビネット１の内部には、複数の独立した商品収容庫２ａ，２ｂ，２ｃが左右に並設してある。これら商品収容庫２ａ，２ｂ，２ｃは、缶入り飲料やペットボトル入り飲料等の商品を所望の温度に維持した状態で収容するためのものである。各商品収容庫２ａ，２ｂ，２ｃには、それぞれの上方部に、商品投入部３ａ，３ｂ，３ｃを通じて投入された商品を収容するための商品収納ラック２０が配設してある一方、搬出シュータ４によって区画される下方部に、熱交換器（図示せず）が配設してあり、該熱交換器の駆動により、商品収納ラック２０に収納された飲料缶やペットボトルを所望の冷却温度、あるいは加熱温度に維持することが可能である。
【００１４】
上記自動販売機には、本体キャビネット１の一側縁部に扉体５を設けてある。扉体５は、本体キャビネット１の前面開口を開閉するためのもので、内扉５ａ、中扉５ｂおよび外扉５ｃを備えて構成してある。内扉５ａは、本体キャビネット１に設けた商品収容庫２ａ，２ｂ，２ｃの前面を覆うに充分な大きさを有したものである。図示の例では、内扉５ａを上下に分割し、それぞれを個別に開閉できるようにしてある。
【００１５】
中扉５ｂは、内扉５ａの前面側に配設したものである。この中扉５ｂには、その前面側上部に販売商品のサンプル（以下、商品サンプルともいう）Ｓを左右に並べて一列に載置した商品サンプルステージ６が上下方向に複数段（図示の例では３段）に並べて配設してある。また、中扉５ｂには、その前面側下部に電照板７が配設してある。
【００１６】
外扉５ｃは、本体キャビネット１の前面開口を覆うに充分な大きさを有したものである。この外扉５ｃには、その前面側にディスプレイウィンドウ８、商品選択ボタン９、硬貨投入口１０、紙幣挿入口１１、一体表示器１２、硬貨返却口１３、商品取出口１４が設けてある。一方、外扉５ｃの後面側には、硬貨処理機１５、硬貨回収箱１６、紙幣処理機１７が設けてある。
【００１７】
ディスプレイウィンドウ８は、中扉５ｂに配置した商品サンプルＳ（商品サンプルステージ６）および電照板７を利用者に視認させるための窓である。商品選択ボタン９は、利用者が購入商品を選択するための押ボタンスイッチであり、ディスプレイウィンドウ８を通じて視認される商品サンプルＳ毎に用意してある。硬貨投入口１０は、利用者が硬貨を投入するための開口である。この硬貨投入口１０を通じて投入された硬貨は、硬貨処理機１５においてその金種が識別され、その後、硬貨回収箱１６に収容されることになる。紙幣挿入口１１は、利用者が紙幣を挿入するための開口である。この紙幣挿入口１１を通じて挿入された紙幣は、紙幣処理機１７においてその金種が識別されることになる。また上記紙幣挿入口１１は、紙幣処理機１７において識別できなかった紙幣を返却するための機能を有している。一体表示器１２は、貨幣の投入金額、販売中であるか否か、釣銭があるか否か等、各種情報を利用者に表示するためのものである。硬貨返却口１３は、硬貨処理機１５において識別できなかった硬貨、あるいは釣銭となる硬貨を利用者に返却するための開口である。商品取出口１４は、商品収納ラック２０から払い出された商品を利用者が受け取るための開口である。
【００１８】
図４は、上記自動販売機を構成する商品収納ラックの形態を示したものである。この図４において、商品収納ラック２０は、左右に対向して立設された一対の側板２１，２２の間に、複数の円弧状のセグメント２３を架設することにより、上下方向に沿って蛇行した態様で画成された商品収納通路を備えている。つまり、本実施の形態においては、商品収納ラック２０の一例として、サーペンタイン式商品収納ラックを示している。また、図示の商品収納ラック２０は、前後に４列の商品収納通路が画成された前後二分割構造のものである。
【００１９】
そのような商品収納ラック２０には、商品収納通路の上方側に商品投入用のトップトレイ２４が設けてある一方、商品収納通路の下方側にベンド機構２５が設けてある。ベンド機構２５は、商品収納通路の最下位にある商品を切り出して搬出するためのものである。
【００２０】
そして、そのような商品収納ラック２０において、商品を補充する場合、前方からトップトレイ２４に商品を横向きの姿勢（倒置姿勢）で投入することになる。これにより、商品は、トップトレイ２４の傾斜にしたがって漸次後方に転動し、該トップトレイ２４の後端からセグメント２３に沿って蛇行状の商品収納通路を転動しながら落下してベンド機構２５の上に一列に積み上げ収納される。一方、商品を販売する場合には、ベンド機構２５が販売指令に基づいて駆動して最下位の商品を下方に落下させる。これにより、商品は、商品取出口１４まで送出される。
【００２１】
上記商品収納ラック２０には、図５に示すように、商品収納通路の左右幅（横幅）を商品の長さに応じて調整するための可動側板３０と、該可動側板３０を商品収納通路に対して進退移動させるためのリンク機構４０とが備えてある。
【００２２】
図６および図７は、それぞれ図５における可動側板の構成を示したものであり、図６は、可動側板を表面側（商品収納通路側）から見た側面図であり、図７は、可動側板の要部を概略的に裏面側から見た場合を示した説明図である。これら図５〜図７において、可動側板３０は、商品収納通路の形状に合わせて板金加工した薄鋼板製のものである。この可動側板３０には、商品収納通路を臨む表面側中央領域に、上下方向に沿って延在する長尺溝状のチャンネル部３１が形成してある。チャンネル部３１の底部分には、上部域および下部域にそれぞれ開口３２が形成してある一方、中部域に上下方向に延びる態様の２本の長孔３３ａ，３３ｂが形成してある。また、可動側板３０のチャンネル部３１の裏面側、すなわち一の側板２１を臨む面側には、各開口３２の側縁に一対の切起片３４ａ，３４ｂが前後に形成してある。切起片３４ａ，３４ｂには、それぞれ上下方向に延びる態様の軸孔３５ａ，３５ｂが形成してある。尚、長孔３３ａ，３３ｂの上下方向の長さは、軸孔３５ａ，３５ｂの上下方向の長さと同等か、それ以上の大きさに形成してある。
【００２３】
リンク機構４０は、複数（図示の例では２つ）のリンク４１と、連結板４２とを備えて構成してある。リンク４１は、図５に示したように、上下一対となる態様で配設してあり、一の側板２１と可動側板３０とを繋ぐためのものである。
【００２４】
図８および図９は、リンク機構を構成するリンクの形態を示したものであり、図８は平面図であり、図９は側面図である。これら図８および図９において、リンク４１は、長尺平板状の形態を成し、基端領域４１１には、基端軸部４１１ａ、基端切込溝４１１ｂ、補強フランジ４１１ｃおよびストッパ部４１１ｄが形成してある一方、上記基端領域４１１よりも狭幅となる先端領域４１２には、先端軸部４１２ａおよび先端切込溝４１２ｂが形成してある。
【００２５】
基端軸部４１１ａは、リンク４１の基端部分を基部として前方および後方に突出する態様で形成してある。基端切込溝４１１ｂは、図示の例では、前方側に突出する基端軸部４１１ａの基部に形成してある。補強フランジ４１１ｃは、リンク４１の基端部分の前方側側縁を折り曲げ形成して成るものである。ストッパ部４１１ｄは、補強フランジ４１１ｃの端部から基端切込溝４１１ｂに突出する態様で形成した突起部分である。
【００２６】
先端軸部４１２ａは、リンク４１の先端部分を基部として前方および後方に突出する態様で形成してある。先端切込溝４１２ｂは、図示の例では、後方側に突出する先端軸部４１２ａの基部に形成してある。
【００２７】
図１０−１および図１０−２は、それぞれリンクを一の側板に取り付ける場合を示したものであり、一部を拡大して示している。これら図１０−１および図１０−２において、側板２１の所定部位、すなわちリンク４１の取付部位には、開口２１１が形成してあるとともに、該開口２１１の側縁部を裏面側に折り曲げて成る取付片２１２ａ，２１２ｂが前後一対となる態様で形成してある。一対の取付片２１２ａ，２１２ｂの下端部には、リンク４１を取り付けるための取付孔２１３ａ，２１３ｂが形成してある。尚、図示の例では、側板２１の上部側についてのみ示しているが、側板２１の下部側も同様の構成を有している。
【００２８】
まず、リンク４１を取付片２１２ａ，２１２ｂに対して直角となる水平姿勢で前方側の基端軸部４１１ａを前方側取付片２１２ａの取付孔２１３ａに挿通させる。その際、基端切込溝４１１ｂに前方側取付片２１２ａが相対的に進入することになり、該基端切込溝４１１ｂは逃げ溝としての役割を果たすことになる。
【００２９】
次に、リンク４１を水平姿勢を維持したままで後方側の基端軸部４１１ａを後方側取付片２１２ｂの取付孔２１３ｂに挿通させる。そして、リンク４１を図１０−２中の矢印Ａ方向に傾動させると、ストッパ部４１１ｄが前方側取付片２１２ａの壁面に摺接する結果、リンク４１の前後方向の移動を規制することになり、基端軸部４１１ａが側板２１から抜け出すことを防止することになる。これにより、リンク４１は、図５に示したように、側板２１に基端軸部４１１ａの軸心回りに揺動可能に取り付けられたことになる。
【００３０】
連結板４２は、鋼板から形成したものである。この連結板４２は、図１１に示したように、横断面が例えばコ字状の形態を成し、上下方向に延在する長尺状のものである。つまり、連結板４２は、裏面側（側面側）に開口する凹部４２１が形成してある。この連結板４２の前後幅は、可動側板３０のチャンネル部３１に進入可能な大きさ、具体的には、チャンネル部３１に嵌挿できる大きさである。また、連結板４２の上端部および下端部には、側板２１側（裏面側）に突出する態様の軸受片４２２ａ，４２２ｂが前後一対となる態様で形成してある。これら一対の軸受片４２２ａ，４２２ｂには、それぞれ軸受孔４２３ａ，４２３ｂが形成してある。尚、図１１には、便宜上、連結板の上端部についてのみ示しているが、下端部も上端部と同様の構成を有している。
【００３１】
まず、連結板４２を可動側板３０の表面側（商品収納通路側）から該可動側板３０のチャンネル部３１に嵌挿させる。これにより、連結板４２の軸受片４２２ａ，４２２ｂは、可動側板３０の開口３２を通過して可動側板３０の裏面側（側板２１側）に突出する。より詳細には、連結板４２の軸受片４２２ａ，４２２ｂは、可動側板３０の開口３２を挿通して、該可動側板３０の切起片３４ａ，３４ｂの内側に位置することになる。
【００３２】
次に、リンク４１の後方側の先端軸部４１２ａを後方側軸受片４２２ａの軸受孔４２３ａおよび後方側切起片３４ａの軸孔３５ａに挿通させる。その際、先端切込溝４１２ｂに後方側軸受片４２２ａおよび後方側切起片３４ａが相対的に進入することになり、該先端切込溝４１２ｂは逃げ溝としての役割を果たすことになる。
【００３３】
そして、リンク４１の姿勢を維持したままで前方側の先端軸部４１２ｂを前方側軸受片４２２ｂの軸受孔４２３ｂおよび前方側切起片３４ｂの軸孔３５ｂに挿通させる。その後、リンク４１を図１１中の矢印Ｂ方向に傾動させると、先端切込溝４１２ｂに隣接する端面４１２ｃが後方側軸受片４２２ａの壁面に摺接する結果、リンク４１の前後方向の移動を規制することになり、先端軸部４１２ａが可動側板３０および連結板４２から抜け出すことを防止することになる。これにより、リンク４１は、連結板４２とともに、可動側板３０の切起片３４ａ，３４ｂの軸孔３５ａ，３５ｂに沿って上下方向にスライド移動可能に連結したことになる。
【００３４】
従って、リンク機構４０の駆動、すなわちリンク４１が基端軸部４１１ａの軸心回りに揺動する結果、リンク４１の先端軸部４１２ａが連結板４２とともに可動側板３０の切起片３４ａ，３４ｂの軸孔３５ａ，３５ｂに沿って移動することになり、これにより、可動側板３０は、図５にも示したように、商品収納通路に対して進退移動可能になる。
【００３５】
一方、連結板４２は、可動側板３０の撓みを防止する補強梁としての機能を発揮するため、次のようにして可動側板３０に係合してある。連結板４２の中間部位、具体的には、可動側板３０に形成された長孔３３ａ，３３ｂに対向する部位には、係合部材（係合手段）５０が取り付けてある。
【００３６】
係合部材５０は、図１２に示すように、連結板４２と同様に鋼板から形成されたものであり、本体部５１と係止片５２ａ，５２ｂとを備えて構成してある。本体部５１は、矩形状の形態を成し、連結板４２の凹部４２１に適合する大きさを有している。係止片５２ａ，５２ｂは、それぞれ本体部５１の中央領域における側縁から側板２１側に向けて突出した態様で形成してある。この係止片５２ａ，５２ｂの先端には、外方に向けて屈曲してなる釣り針状の曲状部５３ａ，５３ｂが形成してある。また、係止片５２ａ，５２ｂの間隔、すなわち曲状部５３ａ，５３ｂの最大間隔は、可動側板３０に形成された長孔３３ａ，３３ｂの最大間隔よりも大きくしてある。このような係合部材５０の連結板４２への取り付けは、本体部５１の背面が連結板４２の中間部位における凹部４２１の底部分に例えば溶接等により固着されて行われる。
【００３７】
図１３は、連結板を可動側板に係合させる手順を概略的に示したものである。係合部材５０を取り付けた連結板４２を、可動側板３０の表面側（商品収納通路側）から押圧してチャンネル部３１に進入させる。そして、係合部材５０の係止片５２ａ，５２ｂの先端（曲状部５３ａ，５３ｂ）が長孔３３ａ，３３ｂを挿通する際、該係止片５２ａ，５２ｂは、内方に向けて撓む。その後、係止片５２ａ，５２ｂの先端（曲状部５３ａ，５３ｂ）が長孔３３ａ，３３ｂを通過すると、係止片５２ａ，５２ｂは、復元力により元の状態に復元する。その結果、係止片５２ａ，５２ｂの曲状部５３ａ，５３ｂが抜け止めとして機能して連結板４２の商品収納通路側への移動を規制することになる。従って、係合部材５０は、連結板４２を可動側板３０に対して長孔３３ａ，３３ｂの形状に沿ってスライド移動可能に係合させたことになる。
【００３８】
以上説明したように、本発明の実施の形態に係る商品収納ラック２０によれば、係合部材５０は、可動側板３０の長孔３３ａ，３３ｂに対して撓ませた状態で挿通させた係止片５２ａ，５２ｂが復元力により元の状態に復元することにより、曲状部５３ａ，５３ｂを抜け止めとして該可動側板３０に連結板４２をスライド移動可能に係合させるので、従来のような曲げ作業等が不要になり、組立作業の煩雑化を招来せずに作業効率の向上を図ることができる。
【００３９】
また、上記商品収納ラック２０によれば、係合部材５０を構成する係止片５２ａ，５２ｂを可動側板３０のチャンネル部３１の底部分に形成した長孔３３ａ，３３ｂに挿通させることにより、連結板４２を可動側板３０にスライド移動可能に係合させる構成を採用したので、該長孔３３ａ，３３ｂと切起片３４ａ，３４ｂの軸孔３５ａ，３５ｂとが干渉する虞れがない。そのため、上端から下端までの距離が比較的短い商品収納ラック、所謂ショートラックにおいても、長孔３３ａ，３３ｂと切起片３４ａ，３４ｂの軸孔３５ａ，３５ｂが干渉する虞れが無く、該ショートラックにおいても本発明の構成を採用することができる。
【００４０】
更に、上記商品収納ラック２０によれば、可動側板３０に係合手段を介して係合させた連結板４２が可動側板３０の撓みを防止する補強梁としての機能を発揮するため、可動側板３０および連結板４２等の厚みを小さくすることができ、これにより、可動側板３０等の材料に要するコストの低減化を図ることができる。
【産業上の利用可能性】
【００４１】
以上のように、本発明に係る商品収納ラックは、例えば缶入り飲料、瓶入り飲料およびペットボトル入り飲料等の各種商品を販売する自動販売機に有用である。
【図面の簡単な説明】
【００４２】
【図１】本発明の実施の形態に係る商品収納ラックが適用された自動販売機を示した正面図である。
【図２】図１に示した自動販売機において外扉を開成した状態を示した斜視図である。
【図３】図１に示した自動販売機において扉体を開成した状態を示した斜視図である。
【図４】図１〜図３に示した自動販売機を構成する商品収納ラックの形態を示した斜視図である。
【図５】図４に示した商品収納ラックを構成する可動側板およびリンク機構を簡略的に示した説明図である。
【図６】図５における可動側板を表面側（商品収納通路側）から見た側面図である。
【図７】図５における可動側板の要部を概略的に裏面側から見た場合を示した説明図である。
【図８】図５におけるリンク機構を構成するリンクを示した平面図である。
【図９】図５におけるリンク機構を構成するリンクを示した側面図である。
【図１０−１】図８および図９におけるリンクを一の側板に取り付ける場合を示した説明図である。
【図１０−２】図８および図９におけるリンクを一の側板に取り付ける場合を示した説明図である。
【図１１】可動側板、リンクおよび連結板の連結を概略的に示した説明図である。
【図１２】連結板の可動側板への係合を概略的に示した説明図である。
【図１３】連結板を可動側板に係合させる手順を概略的に示した説明図である。
【符号の説明】
【００４３】
２０    商品収納ラック
２１，２２    側板
３０    可動側板
３１    チャンネル部
３２    開口
３３ａ，３３ｂ    長孔
３４ａ，３４ｂ    切起片
３５ａ，３５ｂ    軸孔
４０    リンク機構
４１    リンク
４２    連結板
４２１    凹部
４２２ａ，４２２ｂ    軸受片
４２３ａ，４２３ｂ    軸受孔
５０    係合部材
５１    本体部
５２ａ，５２ｂ    係止片
５３ａ，５３ｂ    曲状部
【図１】
2006164052.tif 000003
【図２】
2006164052.tif 000004
【図３】
2006164052.tif 000005
【図４】
2006164052.tif 000006
【図５】
2006164052.tif 000007
【図６】
2006164052.tif 000008
【図７】
2006164052.tif 000009
【図８】
2006164052.tif 000010
【図９】
2006164052.tif 000011
【図１０−１】
2006164052.tif 000012
【図１０−２】
2006164052.tif 000013
【図１１】
2006164052.tif 000014
【図１２】
2006164052.tif 000015
【図１３】
2006164052.tif 000016